(57)【特許請求の範囲】
【請求項１】
指標が形成された透明表示板と、前記透明表示板の背面側に配置されていて前記指標を指示する指針と、前記透明表示板を照明するための光源と、を備え、前記光源が前記透明表示板の外縁に沿って配置された表示装置において、
前記指針の背面に前記指標に沿って設けられ、前記光源から離れるに従って正面に近づくテーパ状の反射部をさらに備え、
前記光源から出射された光のうち前記透明表示板に入射されず背面側に向かった光が、前記反射部で反射されて前記指標に入射する
ことを特徴とする表示装置。
【請求項２】
前記光源が、前記透明表示板の外縁に沿って複数並べて設けられ、
前記複数の光源の両端よりも並び方向の外側に配置され、前記並び方向の外側に向かうに従って前記反射部に近づくテーパ状のサイド反射部を更に備えた
ことを特徴とする請求項１に記載の表示装置。
【請求項３】
前記透明表示板に、前記反射部の前記光源から離れた縁部に沿った凸部を設けた
ことを特徴とする請求項１又は２に記載の表示装置。
【発明の詳細な説明】
【技術分野】
【０００１】
本発明は、表示装置に係り、特に、指標が形成された透明表示板と、前記透明表示板の背面側に配置された前記指標を指示する指針と、を有する表示装置に関するものである。
【背景技術】
【０００２】
上述した表示装置として例えば図５に示すものが提案されている（特許文献１）。同図に示すように、表示装置１は、透明表示板３と、指針８と、プリント基板５と、ムーブメント７と、光源としての透明表示板用ＬＥＤ６とを備えている。
【０００３】
上記透明表示板３は、透光性のある樹脂製の導光部材で構成されていて、背面側に文字・目盛などの指標が白色印刷されている。上記指針８は、透明表示板３の背面に配置されていて、指標を指示する。プリント基板５は、透明表示板３の下方かつ指針８の正面側に配置されていて、その正面に指針８を回転させるムーブメント７及び透明表示板３を照明するための透明表示板用ＬＥＤ６が搭載されている。上記透明表示板用ＬＥＤ６は、透明表示板３のムーブメント７側の外縁面に対向して設けられている。
【０００４】
上述した表示装置１によれば、ムーブメント７がプリント基板５の正面側に搭載され、指針８がプリント基板５の背面側に搭載されているため、透明表示板３とプリント基板５とを接近して設けることができ、透明表示板用ＬＥＤ６を透明表示板３の該外縁面に沿って対向するようにプリント基板５の正面に搭載することができる。よって、透明表示板用ＬＥＤ６からの光を透明表示板３の外縁面から入射して透明表示板３に導くことができる。
【０００５】
しかしながら、上述したように透明表示板３の外縁面に直接、透明表示板用ＬＥＤ６の光を入射するようにしても、十分な品位の照明効果は得られないという問題があった。
【先行技術文献】
【特許文献】
【０００６】
【特許文献１】特開２００８−２８６５７４号公報
【発明の概要】
【発明が解決しようとする課題】
【０００７】
そこで、本発明は、光源からの光を無駄なく透明表示板に形成した指標に導くことができ、照明品位の向上を図った表示装置を提供することを課題とする。
【課題を解決するための手段】
【０００８】
上述した課題を解決するためになされた請求項１記載の発明は、指標が形成された透明表示板と、前記透明表示板の背面側に配置されていて前記指標を指示する指針と、前記透明表示板を照明するための光源と、を備え、前記光源が前記透明表示板の外縁に沿って配置された表示装置において、前記指針の背面に前記指標に沿って設けられ、前記光源から離れるに従って正面に近づくテーパ状の反射部をさらに備え、前記光源から出射された光のうち前記透明表示板に入射されず背面側に向かった光が、前記反射部で反射されて前記指標に入射することを特徴とする表示装置に存する。  
【０００９】
請求項２記載の発明は、前記光源が、前記透明表示板の外縁に沿って複数並べて設けられ、前記複数の光源の両端よりも並び方向の外側に配置され、前記並び方向の外側に向かうに従って前記反射部に近づくテーパ状のサイド反射部を更に備えたことを特徴とする請求項１に記載の表示装置に存する。
【００１０】
請求項３記載の発明は、前記透明表示板に、前記反射部の前記光源から離れた縁部に沿った凸部を設けたことを特徴とする請求項１又は２に記載の表示装置に存する。
【発明の効果】
【００１１】
以上説明したように請求項１記載の発明によれば、光源から出射された光のうち透明表示板に入射されずに背面側に向かった光が反射部で反射されて透明表示板に形成した指標に入射されるので、光源からの光を無駄なく透明表示板に形成した指標に導くことができ、照明品位の向上を図ることができる。
【００１２】
請求項２記載の発明によれば、光源から出射された光のうち透明表示板に入射されずに直接、サイド反射部に向かった光や、反射部で反射されてサイド反射部に向かった光が、サイド反射部で反射されて反射部に導かれる。反射部に導かれた光は、反射部で反射されて透明表示板に形成した指標に入射されるので、より一層、光源からの光を無駄なく透明表示板に形成した指標に導くことができ、照明品位の向上を図ることができる。
【００１３】
請求項３記載の発明によれば、凸部を設けることにより装飾性が向上する。
【図面の簡単な説明】
【００１４】
【図１】本発明の表示装置の一実施の形態を示す正面図である。
【図２】図１のＡ−Ａ線断面図である。
【図３】図１に示す表示装置の分解斜視図である。
【図４】図３のケースと基板との間から見た部分斜視図である。
【図５】従来の表示装置の一例を示す断面図である。
【発明を実施するための形態】
【００１５】
以下、本発明の一実施の形態を図面に基づいて説明する。本発明の一実施形態に係る表示装置は、図１〜図３に示すスピードメータに用いられる。図１は、本発明の表示装置の一実施の形態を示す正面図である。図２は、図１のＡ−Ａ線断面図である。図３は、図１に示す表示装置の分解斜視図である。
【００１６】
表示装置１は、自動車等の移動体に搭載されていて、この移動体の乗員に対して移動体の状況を表示する装置である。同図に示すように、表示装置１は、裏カバー２と、透明表示板３と、ケース４と、プリント基板５と、光源としての透明表示板用ＬＥＤ６と、ムーブメント７と、指針８と、表示板９と、を備えている。
【００１７】
上記裏カバー２は、図３などに示すように、矩形状の底壁とこの底壁の周縁から正面に向かって立設した立壁とで構成されたケース４側に開口した受け皿状に形成されている。この裏カバー２の底壁には、後述する透明表示板３、ケース４、プリント基板５をビス１０によってネジ止めするために正面に向かって立設されたボス２１が形成されている。
【００１８】
上記透明表示板３は、略矩形状でアクリル樹脂等の透光性を有する導光材料等で構成されていて、車両速度に対応した指標としての文字・目盛３１が設けられている。この文字・目盛３１は、円弧状に沿って形成されていて、例えば透明表示板３の背面に白色系で印刷されて設けられている。
【００１９】
また、裏カバー２の正面側の下方には、ケース４が配置されている。ケース４は、後述するムーブメント７や、ウォーニング意匠９１を照明するウォーニング表示用ＬＥＤ１１や、液晶ディスプレイ１２等が収容されていて、ムーブメント７が配されるムーブメント用開口部４１と、ウォーニング表示用ＬＥＤ１１が配される照明用開口部４２と、液晶ディスプレイ１２が配される液晶用開口部４３と、液晶ディスプレイ１２から引き出された電線が配される電線用開口部４４と、がそれぞれ形成されている。
【００２０】
上記ケース４内には、さらに上記ムーブメント７、ウォーニング表示用ＬＥＤ１１、液晶ディスプレイ１２や、透明表示板３を照明する光源としての透明表示板用ＬＥＤ６等と電気的に接続する略矩形状のプリント基板５が収容されている。プリント基板５は、ケース４と裏カバー２との間に設けられ、ムーブメント７等の動作を制御するためのマイコン等の電子部品等が実装されている。
【００２１】
上記プリント基板５は、図２に示すように、透明表示板３より背面側に配置され、その上端が透明表示板３の下端と僅かに重なるように配置されている。プリント基板５は、正面に上記ムーブメント７、ウォーニング表示用ＬＥＤ１１、透明表示板用ＬＥＤ６等を搭載すると共に背面側に指針８を搭載している。
【００２２】
上記ムーブメント７は、図２に示すように透明表示板３と重ならないようにプリント基板５の透明表示板３に覆われていない部分に搭載されている。ムーブメント７は、車両に搭載された図示しない車速計側手段と接続されたマイコンに接続されている。ムーブメント７は、このマイコンの制御によって、車速計側手段が計測した計測量に応じて回転する回転軸を備えている。ムーブメント７は、上記回転軸がプリント基板５の背面側から突出するように設けられている。
【００２３】
上記透明表示板用ＬＥＤ６は、プリント基板５の上端部に長手方向に沿って５つ並んで配置されていて、透明表示板３のムーブメント７側の外縁面に対向するように、透明表示板３の平行方向外側にその光軸ＬＬが上方、即ち透明表示板３と平行になるように、プリント基板５上に設けられている。即ち、５つの透明表示板用ＬＥＤ６は、ムーブメント７側の外縁に沿って並べて配置されている。この５つの透明表示板用ＬＥＤ６のうちの真ん中の直下にムーブメント７が配置されている。
【００２４】
上記指針８は、上記透明表示板３の背面に配置されていて、アクリル樹脂等の透光性を有する導光材料等から形成されている。指針８は、図２に示すように、回転中心となる後端部８１と、後端部８２よりも正面側に設けられ、文字・目盛３１を指示する先端部８２と、を有している。これら後端部８１及び先端部８２は、透明表示板３に対して平行に設けられている。また、指針８は、これら後端部８１及び先端部８２を連結する連結部８３を有している。この連結部８３は、透明表示板３に対して垂直に設けられている。
【００２５】
上記指針８は、後端部８１がムーブメント７の回転軸に取り付けられている。指針８は、ムーブメント７の回転軸と一体になって回転する。指針８は、車速計側手段が計測した計測量に応じて、ムーブメント７によって回転されて、文字・目盛３１と協働して計測量を指示する。
【００２６】
上記表示板９は、ケース４の正面側に設けられていて、ムーブメント７などが正面に露出しないようにしている。表示板９には、図３に示すように、複数のウォーニング意匠９１や、液晶ディスプレイ１２が配される液晶用開口部９２が設けられている。ウォーニング意匠９１は、ウォーニング表示用ＬＥＤ１１の正面に設けられ、ウォーニング表示用ＬＥＤ１１が発光すると点灯する。
【００２７】
上述した表示装置１によれば、透明表示板用ＬＥＤ６が発光すると、透明表示板用ＬＥＤ６からの光が透明表示板３の外縁面から入射されて、透明表示板３の指標が照明される。上述した透明表示板用ＬＥＤ６からの光は、ほとんどが透明表示板３に入射されるが、その一部は透明表示板３に入射されず、背面にある裏カバー２に向けて出射されるものもある。そこで、本実施形態では、図２及び図３に示すように、裏カバー２に反射部２２を設けている。この反射部２２は、指針８の背面に文字・目盛３１に沿って設けられ、透明表示板用ＬＥＤ６から離れるに従って正面に近づくテーパ状に設けられている。
【００２８】
この反射部２２は、文字・目盛３１と同様に正面視円弧状に形成されていて、文字・目盛３１の背面に設けられている。また、反射部２２は、透明表示板用ＬＥＤ６からの光を反射できるように例えば白色印刷などが施されている。このような反射部２２を設けることにより、図２及び図３に示すように、透明表示板用ＬＥＤ６から出射された光のうち透明表示板３に入射されず背面側に向かった光ＬＬ２が反射部２２で反射されて透明表示板３に形成した文字・目盛３１に入射される。
【００２９】
これにより、文字・目盛３１付近がより一層光輝して視認される。即ち、この反射部２２を設けることにより、透明表示板用ＬＥＤ６からの光を無駄なく透明表示板３に形成した文字・目盛３１に導くことができ、照明品位の向上を図ることができる。
【００３０】
また、特に５つ並べられた透明表示板用ＬＥＤ６のうち両端から出射された光は、透明表示板３に入射されず、並び方向Ｙ１の外側に向かって出射される光ＬＬ３がある。そこで、本実施形態では、図１及び図４に示すように、ケース４に一対のサイド反射部４５を設けている。一対のサイド反射部４５は、ケース４の背面から裏カバー２に向かって突出して設けられていて、複数の透明表示板用ＬＥＤ６の両端よりも並び方向Ｙ１の外側に配置されている。
【００３１】
即ち、一対のサイド反射部４５は、複数の透明表示板用ＬＥＤ６と共に並び方向Ｙ１に沿って並べられ、複数の透明表示板用ＬＥＤ６の並び方向Ｙ１を挟むように配置されている。また、一対のサイド反射部４５は、並び方向Ｙ１外側に向かうに従って反射部２２に近づくテーパ状の曲面に設けられている。このサイド反射部４５は、透明表示板用ＬＥＤ６からの光を反射できるように例えば白色印刷が施されている。
【００３２】
このようなサイド反射部４５を設けることにより、図４に示すように、透明表示板用ＬＥＤ６から出射された光のうち透明表示板３に入射されず並び方向Ｙ２外側、即ちサイド反射部４５に向かった光ＬＬ３や、反射部２２で反射されてサイド反射部４５に向かった光ＬＬ４が、サイド反射部４５で反射されて反射部２２に導かれる。反射部２２に導かれた光ＬＬ３、ＬＬ４は、反射部２２で反射されて透明表示板３に形成した文字・目盛３１に入射される。
【００３３】
これにより、文字・目盛３１付近がより一層光輝して視認される。即ち、このサイド反射部４５を設けることにより、よ一層、透明表示板用ＬＥＤ６からの光を無駄なく透明表示板３に形成した文字・目盛３１に導くことができ、照明品位の向上を図ることができる。
【００３４】
また、上記透明表示板３には、図２に示すように、反射部２２の透明表示板用ＬＥＤ６から離れた縁部に沿った凸部３２が設けられている。この凸部３２は、図１及び図３に示すように、反射部２２と同様に正面視円弧状に形成されている。この凸部３２により反射部２２の透明表示板用ＬＥＤ６から離れた縁部が隠されることとなり、装飾性が向上する。
【００３５】
なお、上述した実施形態によれば、透明表示板３に凸部３２を設けていたが、本発明はこれに限ったものではない。凸部３２については設けなくてもよい。
【００３６】
また、上述した実施形態によれば、ケース４にサイド反射部４５を設けていたが、本発明はこれに限ったものではない。裏カバー２側にサイド反射部４５を設けてもよい。また、反射部２２だけで十分な照明品位が保たれるのであれば、サイド反射部４５は設けなくてもよい。
【００３７】
また、上述した実施形態によれば、透明表示板３の下方には、液晶ディスプレイ１２やウォーニング意匠９１を設けた表示板９を設けていたが、本発明はこれに限ったものではない。表示板９としては単なる板でもよい、液晶ディスプレイ１２やウォーニング意匠９１を設けていなくてもよい。
【００３８】
また、上述した実施形態によれば、表示板９を設けることによりムーブメント７などを隠していたが、本発明はこれに限ったものではない。例えば、表示板９を設けずにムーブメント７などの部分をインストルメントパネル内に隠す構造であってもよい。
【００３９】
また、上述した実施形態によれば、透明表示板用ＬＥＤ６は透明表示板３の外縁面に対向するように配置されていたが、本発明はこれに限ったものではない。例えば、透明表示板３の縁部から背面に向かって突出するような入射部を設けて、この入射部の背面側の面に対向するようにして透明表示板用ＬＥＤ６を配置して、透明表示板３の外縁に沿って透明表示板用ＬＥＤ６を並べて配置してもよい。
【００４０】
また、上述した実施形態によれば、反射部２２が裏カバー２に設けられていたが、本発明はこれに限ったものではない。裏カバー２とは別体に反射部２２を設けてもよい。
【００４１】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４２】
３    透明表示板
６    透明表示板用ＬＥＤ（光源）
８    指針
２２  反射部
３１  文字・目盛（指標）
３２  凸部
４５  サイド反射部
Ｙ１  並び方向
【図１】
0005555579.tif 000002
【図２】
0005555579.tif 000003
【図３】
0005555579.tif 000004
【図４】
0005555579.tif 000005
【図５】
0005555579.tif 000006